(57)【要約】【課題】ウェットティッシュのロール体を最後までスムーズに使用することができるウェットティッシュ用容器を提供する。【解決手段】ウェットティッシュのロール体Ｒが収容される容器本体１と、容器本体１の上端部に嵌合する蓋体２と、容器本体１の側面部に形成される貫通孔３を開閉するカバー体４と、容器本体１内に収容され、ロール体Ｒを容器本体１内で回転可能に保持するホルダ５とを備える。カバー体４は、導入孔７と、導入孔７を閉塞するように取り付けられる口栓８と、導入孔７を開閉するカバー片９とを備える。導入孔７の外周部に形成されたガイド筒部１３と貫通孔３の雄ねじ部３ａがねじ結合され、導入孔７と貫通孔３とが連通する。口栓８は、ウェットティッシュが引き出される引き出し孔１４を有し、ホルダ５は、ロール体Ｒをその巻き中心が上下方向となる状態で保持する。【選択図】図１
2016003022.tif 000002
【特許請求の範囲】
【請求項１】
長手方向に所定間隔で易切断部が形成されたウェットティッシュのロール体が収容され、下端部に底部を有する円筒状の容器本体と、その容器本体の上端部に嵌合する蓋体と、前記容器本体の側面部に形成される貫通孔を開閉するカバー体と、前記容器本体内に収容され、前記ウェットティッシュのロール体を前記容器本体内で回転可能に保持するホルダとを有し、
前記カバー体は、導入孔と、その導入孔と前記貫通孔とを連通するガイド筒部と、前記導入孔を開閉するカバー片と、前記導入孔を閉塞するように取り付けられる口栓とを備え、
前記口栓は、前記ウェットティッシュが引き出される引き出し孔を有し、前記ホルダは、前記ウェットティッシュのロール体をその巻き中心部が上下方向となる状態で保持するようにしたウェットティッシュ用容器。
【請求項２】
前記ホルダが前記ウェットティッシュのロール体の巻き中心部に挿入される軸体と、その軸体の下部が固定される台座とを備え、そのホルダは、前記容器本体内に前記ウェットティッシュのロール体と一体回転するようにした請求項１に記載のウェットティッシュ用容器
【請求項３】
前記貫通孔の周縁部に外向きに突き出す雄ねじ部が形成され、その雄ねじ部が前記カバー体のガイド筒部に形成された雌ねじ部とねじ結合するようにした請求項１または２に記載のウェットティッシュ用容器。
【発明の詳細な説明】
【技術分野】
【０００１】
この発明は、ウェットティッシュのロール体を収容するウェットティッシュ用容器に関する。
【背景技術】
【０００２】
従来から、ウェットティッシュのロール体を収容するウェットティッシュ用容器として、下端部に底部を有する円筒形の容器本体と、容器本体の上端部に形成される開口部に嵌まる蓋体とを備え、蓋体の中央に形成された引き出し孔からウェットティッシュを取り出すようにしたものがある（例えば、特開２０００−３５５３４０号公報）。
【０００３】
ウェットティッシュのロール体は、その巻き中心部が上下方向となる状態で容器本体内に収容されており、所定長さごとに切断用のミシン目線を入れた連続ウェットティッシュをロール状に巻き回させたものである。蓋体の引き出し孔は、引き出される連続ウェットティッシュを摩擦抵抗力によってミシン目線で切断するためにスリット状に形成されている。
【先行技術文献】
【特許文献】
【０００４】
【特許文献１】特開２０００−３５５３４０号公報
【発明の概要】
【発明が解決しようとする課題】
【０００５】
ところで、ウェットティッシュ用容器には、ウェットティッシュを使用する際、ウェットティッシュのロール体の巻き中心部側の端部を引き出して、その端部を蓋体の引き出し孔に通して使用する旨の注意書きが記載されていることがある。
【０００６】
しかしながら、使用者は上記注意書きを読まずに、つまみ難い巻きロール体の巻き中心部側の端部ではなく、つまみ易いロール体の外周部側の端部を蓋体の引き出し孔に通し、連続ウェットティッシュを上方へ引き出して、ウェットティッシュを使用することがあった。
【０００７】
ウェットティッシュのロール体の外周部側から連続ウェットティッシュが上方へ引き出されると、捻じれが生じ、捻じれた連続ウェットティッシュは、紐状となって、蓋体の引き出し孔のスリット周縁部分との摩擦抵抗が大きくなる。
【０００８】
摩擦抵抗が大きくなることにより、連続ウェットティッシュは、ミシン目線が引き出し孔のスリットを通過する際、そのミシン目線で破断し、その端部がスリットよりも外側に残ることなく、容器本体内に入り込んでいた。
【０００９】
連続ウェットティッシュの端部が容器本体内に入り込こむと、再度、ウェットティッシュのロール体の外周側端部を蓋体の引き出し孔に通す作業が必要となり、ウェットティッシュのロール体を最後までスムーズに使用することが難しいという問題があった。
【００１０】
そこで、この発明の課題は、ウェットティッシュのロール体を最後までスムーズに使用することができるウェットティッシュ用容器を提供することにある。
【課題を解決するための手段】
【００１１】
上記の課題を解決するために、長手方向に所定間隔で易切断部が形成されたウェットティッシュのロール体が収容され、下端部に底部を有する円筒状の容器本体と、その容器本体の上端部に嵌合する蓋体と、前記容器本体の側面部に形成される貫通孔を開閉するカバー体と、前記容器本体内に収容され、前記ウェットティッシュのロール体を前記容器本体内で回転可能に保持するホルダとを有し、前記カバー体は、導入孔と、その導入孔と前記貫通孔とを連通するガイド筒部と、前記導入孔を開閉するカバー片と、前記導入孔を閉塞するように取り付けられる口栓とを備え、前記口栓は、前記ウェットティッシュが引き出される引き出し孔を有し、前記ホルダは、前記ウェットティッシュのロール体をその巻き中心部が上下方向となる状態で保持するようにした構成を採用することができる。
【００１２】
上記構成において、前記ホルダが前記ウェットティッシュのロール体の巻き中心部に挿入される軸体と、その軸体が固定される台座とを備え、そのホルダは、前記容器本体内で前記ウェットティッシュのロール体と一体回転するようにした構成を採用することができる。
【００１３】
さらに、前記貫通孔の周縁部に外向きに突き出す雄ねじ部が形成され、その雄ねじ部が前記カバー体のガイド筒部に形成された雌ねじ部とねじ結合するようにした構成を採用することができる。
【発明の効果】
【００１４】
この発明は、容器本体の側面部に形成された貫通孔から、連続ウェットティッシュのロール体の外周部側の端部を引き出すことができるため、連続ウェットティッシュの引き出しの際、ホルダに保持されたウェットティッシュのロール体が容器本体内で回転し、連続ウェットティッシュを捻じれさせることなく引き出し孔から引き出すことができる。
【図面の簡単な説明】
【００１５】
【図１】この発明の実施形態に係るウェットティッシュ用容器を示す斜視図
【図２】同上のウェットティッシュ用容器の分解斜視図
【図３】同上のウェットティッシュ用容器の縦断面図
【図４】同上のウェットティッシュ用容器の横断面図
【図５】同上のウェットティッシュ用容器の使用中の状態を示す拡大横断面図
【図６】同上のウェットティッシュ用容器の使用直後の状態を示す拡大横断面図
【発明を実施するための形態】
【００１６】
以下、この発明の実施形態に係るウェットティッシュ用容器を図１〜６に基づいて説明する。
このウェットティッシュ用容器は、図１〜３に示すように、ウェットティッシュのロール体Ｒが内部に収容される円筒状の容器本体１と、容器本体１の上端部に嵌め合わされる蓋体２と、容器本体１の外周部に形成される貫通孔３を開閉可能に覆うカバー体４と、容器本体１内に回転可能に入れられ、ウェットティッシュのロール体Ｒを保持するホルダ５とを備える。
【００１７】
容器本体１は、図３に示すように、下端部に底部を有し上端部が開口する円筒状に形成され、上端部に外周部に雄ねじ部１ａが形成される。容器本体１内にウェットティッシュのロール体Ｒ（以下、単にロール体Ｒと称する）を保持するホルダ５が回転可能に収容されている。
【００１８】
ロール体Ｒは、所要長さごとに易破断部となるミシン目線ｍが形成された連続ウェットティッシュをロール状に巻き回させたものである。ロール体Ｒは、容器本体１内にその巻き中心部が上下方向となるようにホルダ５に保持されている（図２参照）。
【００１９】
図２に示すように、容器本体１の側面部の上方に貫通孔３が形成され、貫通孔３の周縁部に径方向外向きに突き出す円筒状の雄ねじ部３ａが形成されている。なお、貫通孔３は、容器本体１の側面部における形成位置は、上方に限られず、例えば、上下方向の中央としてもよい。
【００２０】
蓋体２は、天板部を有する下端部が開口した円筒状に形成され、その下端部の内周面に容器本体１の雄ねじ部１ａとねじ結合する雌ねじ部２ａが形成され、容器本体１の上端部に着脱可能に嵌り合う（図３参照）。
【００２１】
カバー体４は、図４に示すように、円板状のベース板６と、ベース板６の中心に形成される円形の導入孔７と、導入孔７を閉塞するように取り付けられる口栓８と、導入孔７を開閉可能に覆う円形のカバー片９とを備える。
【００２２】
ベース板６は、図１に示すように、表面（容器本体１の側面を臨む面の反対面）側において、外周縁から立ち上がる外筒部１０と、導入孔７の外周縁よりも径方向外側部分から立ち上がる内筒部１１と、径方向外向きに延びる連結帯１２を有する。
【００２３】
また、ベース板６は、図２に示すように、裏面（容器本体１の側面を臨む面）側において、容器本体１の貫通孔３の雄ねじ部３ａに嵌り合う円筒状のガイド筒部１３を有する。ガイド筒部１３は、先端部の内周面に雌ねじ部１３ａが形成され、容器本体１の貫通孔３の雄ねじ部３ａにねじ結合により着脱可能に嵌め合わせられる。貫通孔３の雄ねじ部３ａに嵌め合わせられるガイド筒部１３により、貫通孔３と導入孔７とが連通する。
【００２４】
なお、貫通孔３と導入孔７は、上述のように貫通孔３の雄ねじ部３ａとガイド筒部１３とのねじ結合により連通させるものに限られず、例えば、貫通孔３の雄ねじ部３ａを形成せずに、ガイド筒部１３を貫通孔３に嵌め合わせてもよい。要は、ガイド筒部１３により貫通孔３と導入孔７とを連通させるようにすればよい。
【００２５】
カバー片９は、図１に示すように、円板状であり、中央に形成される嵌合筒９ａと、周方向の一部から径方向外向きに突き出すつまみ部９ｂとを有する。またカバー片９はつまみ部９ｂに対して直径方向の反対側において、連結帯１２を介してベース板６に連結する。
【００２６】
連結帯１２が折り曲げられる状態で、嵌合筒９ａはベース板６の内筒部１１の外周部に嵌合され、カバー片９により内筒部１１の開口部を閉塞する（図４）。この閉塞状態において、カバー片９のつまみ部９ｂは、ベース板６の外筒部１０よりも径方向外側に突き出す。つまみ部９ｂをつまむことにより、容易にカバー片９を開くことができる。
【００２７】
口栓８は、図３、４に示すように、円形の皿状に形成され、その中央に形成された円形の引き出し孔１４と、その外周部の全周に形成された径方向内向きに凹む周溝１５とを有する。また、口栓８は、可撓性を有する弾性材で形成され、引き出し孔１４からウェットティッシュが引き出される際、引き出し孔１４の周縁部が弾性変形する。
【００２８】
口栓８を形成する弾性材としては、弾性変形しやすさの観点から、天然ゴム、合成ゴム等のゴム材料、ＰＰ（ポリプロピレン）、ＰＥ（ポリエチレン）、又はビニール樹脂等の弾性材料により形成されていることが好ましい。また、合成ゴムを使用する場合には、シリコンゴムやウレタンゴム等を使用することが好ましい。
【００２９】
引き出し孔１４は、その周縁部により、連続ウェットティッシュが通過する際に、その通過する連続ウェットティッシュを絞り、薬剤等を適度に含んだ状態とする。
【００３０】
また、引き出し孔１４の周縁部により、引き出された連続ウェットティッシュに対して、摩擦抵抗が付与される。この摩擦抵抗により、図６に示すように、引き出される連続ウェットティッシュが引き出し孔１４よりも外側に位置するミシン目線に沿って切断される。引き出し孔１４の形状は、図１に示すように、円形に限られず、三角形、十字形のスリット、星形等を採用することができる。
【００３１】
周溝１５は、ベース板６の導入孔７の周縁部が嵌め合わせられ、口栓８が導入孔７を閉塞するように取り付けられる。このとき、口栓８は、引き出し孔１４がベース板６に対して外筒部１０側（表面側）に位置している。
【００３２】
ホルダ５は、円筒状部材から形成される軸体１６と、軸体１６の下部が固定される台座１７とを有する。軸体１６は、ロール体Ｒの巻き中心部に対して、すき間なく挿入される。軸体１６の長さは、連続ウェットティッシュの幅よりも小さく形成されている。なお、軸体１６は中実の棒状部材から形成してもよいが、円筒状部材から形成すると、ホルダ５を軽量化することができる。
【００３３】
台座１７は、円板部１７ａと、円板部１７ａの外周縁に形成される下向きのフランジ１７ｂとを備える。円板部１７ａの中央に軸体１６の下部が固定される。円板部１７ａ及びフランジ１７ｂは、その外径が容器本体１の内径よりも小さく形成され、ホルダ５は容器本体１内に収容可能となる。なお、ホルダ５は、フランジ１７ｂを備えていない円板部１７ａのみで構成することもできる。
【００３４】
軸体１６にロール体Ｒの巻き中心部を挿入し、そのロール体Ｒが台座１７に載せられると、ホルダ５によりロール体Ｒはその巻き中心部が上下方向となる状態で保持される。この保持状態において、軸体１６がロール体Ｒの中心部に対して、すき間なく挿入され、後述のように、連続ウェットティッシュを引き出すと、ホルダ５がロール体Ｒと共に一体回転する（図５参照）。
【００３５】
この実施形態のウェットティッシュ用容器は、以上のように構成される。次に、そのウェットティッシュ用容器の使用方法を図面に基づいて説明する。
【００３６】
まず、ホルダ５の軸体１６にロール体Ｒの巻き中心部を差し込み、台座１７上にロール体Ｒを載せる。このとき、軸体１６がロール体Ｒの巻き中心部に対して、すき間なく挿入されており、ホルダ５にロール体Ｒが一体に保持される。
【００３７】
続いて、ロール体Ｒが保持されたホルダ５を容器本体１内に収容し、ロール体Ｒの外側端部の連続ウェットティッシュを指でつまんで引き出す。引き出された連続ウェットティッシュの端部を貫通孔３から雄ねじ部３ａを経て、カバー体４のガイド筒部１３内へ導く。
【００３８】
続いて、口栓８の引き出し孔１４に連続ウェットティッシュの端部を通して、その端部を引き出し孔１４から外側にはみ出る状態とし、カバー体４のカバー片９を閉じる。
【００３９】
次に、ウェットティッシュ用容器からウェットティッシュを引き出すには、カバー体４のカバー片９を開き、引き出し孔１４からはみ出る連続ウェットティッシュの端部を引っ張る。ウェットティッシュが引っ張られると、容器本体１内において、ロール体Ｒの外周部の連続ウェットティッシュは、容器本体１の貫通孔３からガイド筒部１３を経て、引き出し孔１４から引き出される（図５参照）。
【００４０】
ここで、容器本体１内に回転可能に収容されるホルダ５にロール体Ｒが一体に保持され、かつ貫通孔３が容器本体１の側面部に形成されている。このため、図５に示すように、ロール体Ｒの外周部の連続ウェットティッシュが、容器本体１の貫通孔３へ導かれることにより、ロール体Ｒとホルダ５が容器本体１内で回転する。
【００４１】
ロール体Ｒの外周部の連続ウェットティッシュは、ロール体Ｒがホルダ５と一体回転することで、捻じれることなくスムーズに引き出し孔１４から引き出され、引き出し孔１４の周縁部との間で生じる摩擦抵抗が過大とならない。
【００４２】
よって、引き出し孔１４を通過する連続ウェットティッシュは、捻じれることなく、引き出し孔１４の周縁部で絞られ適度に薬剤等を含む状態となる。そして、引き出し孔１４の周縁部との間で生じる上述した摩擦抵抗により、引き出し孔１４よりも外側に位置したミシン目線ｍに沿って切断される。
【００４３】
切断されたウェットティッシュは一定の大きさを有するシート状物となって適宜使用され、残った連続ウェットティッシュの端部が引き出し孔１４からはみ出た状態となる。その後、必要に応じた枚数のウェットティッシュを引き出し、カバー体４のカバー片９を閉じる。
【００４４】
以上の様に、連続ウェットティッシュは、引き出し孔１４から引き出すと、その端部が引き出し孔１４からはみ出た状態で切断される。このため、引き出し孔１４よりも内側で連続ウェットティッシュが切断されることがなく、ロール体Ｒからウェットティッシュを最後まで、スムーズに引き出すことができる。
【符号の説明】
【００４５】
１  容器本体
１ａ  雄ねじ部
２  蓋体
２ａ  雌ねじ部
３  貫通孔
３ａ  雄ねじ部
４  カバー体
５  ホルダ
６  ベース板
７  導入孔
８  口栓
９  カバー片
９ａ  嵌合筒
９ｂ  つまみ部
１０  外筒部
１１  内筒部
１２  連結帯
１３  ガイド筒部
１３ａ  雌ねじ部
１４  引き出し孔
１５  周溝
１６  軸体
１７  台座
１７ａ  円板部
１７ｂ  フランジ
Ｒ  ロール体
ｍ  ミシン目線
【図１】
2016003022.tif 000003
【図２】
2016003022.tif 000004
【図３】
2016003022.tif 000005
【図４】
2016003022.tif 000006
【図５】
2016003022.tif 000007
【図６】
2016003022.tif 000008